(57)【要約】  一台で拡散光と集中光線を生成できる軽量で省電力で効率の良い照明装置を提供すること。光源32を備えたベース部分14に、光源32の外側を覆うカバー部分12を設け、このカバー部分12は、光透過性若しくは光拡散性を有し且つ弾力性若しくは柔軟性を有する素材で構成して、このカバー部分12を光源32に向かって内側に押圧することにより、カバー部分12を、光源32から離れて位置する非変形構成12ａからカバー部分12が変形移動して光源32に近接状態に位置する変形構成12ｂに切り替え可能に構成し、このカバー部分12の変形構成12ｂに際して、カバー部分12の光源32に近接する部位に、光源32から発せられる光をカバー部分12の外方へ照射する光照射部を設けた照明装置。
2012099173.tif 000002
【特許請求の範囲】
【請求項１】
光源を備えたベース部分に、前記光源の外側を覆うカバー部分を設け、このカバー部分は、光透過性若しくは光拡散性を有し且つ弾力性若しくは柔軟性を有する素材で構成して、このカバー部分を前記光源に向かって内側に押圧することにより、カバー部分を、光源から離れて位置する非変形構成からカバー部分が変形して光源に近接状態に位置する変形構成に切り替え可能に構成し、このカバー部分の前記変形構成に際して、カバー部分の前記光源に近接する部位に、前記光源から発せられる光をカバー部分の外方へ照射する光照射部を設けたことを特徴とする照明装置。
【請求項２】
前記カバー部分は、前記光源の外側を覆うドーム型に構成し、このドーム型のカバー部分の中心部に前記光照射部を設け、この光照射部若しくはこの光照射部の近くを前記光源に向かって内側に押圧することにより、光照射部が最も光源に近接した凹湾曲状の前記変形構成に前記カバー部分が変形するように構成したことを特徴とする請求項１記載の照明装置。
【請求項３】
光源を備えたベース部分に、前記光源の外側を覆うカバー部分を設け、このカバー部分は、光透過性若しくは光拡散性を有し且つ弾力性若しくは柔軟性を有する素材で構成して、このカバー部分を前記光源に向かって内側に押圧することにより、カバー部分を、光源から離れて位置する非変形構成からカバー部分が変形して光源に近接状態に位置する変形構成に切り替え可能に構成し、このカバー部分の前記変形構成に際して、カバー部分の前記光源に近接する部位にレンズアセンブリを設けて、このレンズアセンブリを介して前記光源から発せられる光を前記カバー部分の外方へ照射するように構成したことを特徴とする照明装置。
【請求項４】
前記カバー部分は、前記光源の外側を覆うドーム型に構成し、このドーム型のカバー部分の中心部に前記レンズアセンブリを設け、このレンズアセンブリ若しくはこのレンズアセンブリの近くを前記光源に向かって内側に押圧することにより、レンズアセンブリが最も光源に近接した凹湾曲状の前記変形構成に前記カバー部分が変形するように構成したことを特徴とする請求項３記載の照明装置。
【請求項５】
光源を備えたベース部分に、前記光源の外側を覆うカバー部分を設け、このカバー部分は、光透過性若しくは光拡散性を有し且つ弾力性若しくは柔軟性を有する素材で構成して、このカバー部分を前記光源に向かって内側に押圧することにより、カバー部分を、光源から離れて位置する非変形構成からカバー部分が変形して光源に近接状態に位置する変形構成に切り替え可能に構成し、このカバー部分の前記変形構成に際して、カバー部分の前記光源に近接する部位に開口部を設けて、この開口部を介して前記光源から発せられる光を前記カバー部分の外方へ照射するように構成したことを特徴とする照明装置。
【請求項６】
前記カバー部分は、前記光源の外側を覆うドーム型に構成し、このドーム型のカバー部分の中心部に前記開口部を設け、この開口部若しくはこの開口部の近くを前記光源に向かって内側に押圧することにより、開口部が最も光源に近接した凹湾曲状の前記変形構成に前記カバー部分が変形するように構成したことを特徴とする請求項５記載の照明装置。
【請求項７】
前記カバー部分を、前記変形構成に位置決め保持する位置決め解除可能な位置決め機構を備えたことを特徴とする請求項１〜６のいずれか１項に記載の照明装置。
【請求項８】
前記ベース部分に、ユーザーの頭に固定するためのストラップアセンブリを設け、このストラップアセンブリに吊り下げフックなどのアダプターを設けたことを特徴とする請求項１〜６のいずれか１項に記載の照明装置。
【請求項９】
前記ベース部分に、ユーザーの頭に固定するためのストラップアセンブリを設け、このストラップアセンブリに吊り下げフックなどのアダプターを設けたことを特徴とする請求項７記載の照明装置。
【発明の詳細な説明】
【技術分野】
【０００１】
本発明は、照明装置に関するものである。
【背景技術】
【０００２】
多くのキャンパーやハイカーは、活動に従事している間はヘッドランプを使用することが多い。【０００３】
ところで、ヘッドランプは、一直線の光線のみしか提供しないものが多いが、キャンプなどの活動においては、ランタンタイプの光（拡散光）を必要とする場合がよくある。【０００４】
そこで、別個の集中化光源と拡散光、あるいはランタンタイプの光という別々の光源の必要性を減じるため、ヘッドランプの製造者は、ヘッドランプを覆いヘッドランプから集中光を取り、それを内部表面に反射させ、それから一定の材料を通して光を拡散させるための別個の付属物を開発した。【０００５】
この手法の例は、http://www.mammut.ch/en/productDetail/232000220_v_0001/TR1+%2B+_Ambient+light+Set.htmlにあるMammutによるTR1+Ambient light Setならびにhttp://joby.com/gorillatorch/swichbackにあるJOBYのゴリラトーチ・スイッチバックによって示される。しかし、本手法は、追加の、別個で、そしてしばしばかさばる装置の付属品を必要とし、さらに、光の集中、それに続く散乱ならびに拡散により、光の非効率が起こる可能性があった。【０００６】
他の手法は、Tarterの米国特許番号７６３５１９５に示されたように、ランタンモードのときにのみ使用する追加の光源を付加するというものがある。しかし、本手法は、ヘッドランプ構成において別個の光が使用される一方、ランタン構成に使用する専用の光源が必要とされ、これによって、ランタン構成のときの方がヘッドランプ構成のときよりエネルギー消費が大きくなり、その上、追加された光源により装置のサイズ、重量、および複雑さが付加されるものであった。
【発明の概要】
【発明が解決しようとする課題】
【０００７】
別個の付属物等を要せずに、一台で拡散光と集中光線とを生成できる軽量で省電力で効率の良い照明装置の登場がユーザーから望まれている。【０００８】
本発明は、上述のニーズに対応する照明装置を提供するものである。
【課題を解決するための手段】
【０００９】
添付図面を参照して本発明の要旨を説明する。【００１０】
光源32・132・232・532を備えたベース部分14に、前記光源32・132・232・532の外側を覆うカバー部分12・112・212を設け、このカバー部分12・112・212は、光透過性若しくは光拡散性を有し且つ弾力性若しくは柔軟性を有する素材で構成して、このカバー部分12・112・212を前記光源32・132・232・532に向かって内側に押圧することにより、カバー部分12・112・212を、光源32・132・232・532から離れて位置する非変形構成12ａからカバー部分12・112・212が変形して光源32・132・232・532に近接状態に位置する変形構成12ｂに切り替え可能に構成し、このカバー部分12・112・212の前記変形構成12ｂに際して、カバー部分12・112・212の前記光源32・132・232・532に近接する部位に、前記光源32・132・232・532から発せられる光をカバー部分12・112・212の外方へ照射する光照射部を設けたことを特徴とする照明装置に係るものである。【００１１】
また、前記カバー部分12・112・212は、前記光源32・132・232・532の外側を覆うドーム型に構成し、このドーム型のカバー部分12・112・212の中心部に前記光照射部を設け、この光照射部若しくはこの光照射部の近くを前記光源32・132・232・532に向かって内側に押圧することにより、光照射部が最も光源32・132・232・532に近接した凹湾曲状の前記変形構成12ｂに前記カバー部分12・112・212が変形するように構成したことを特徴とする請求項１記載の照明装置に係るものである。【００１２】
また、光源32・132・232・532を備えたベース部分14に、前記光源32・132・232・532の外側を覆うカバー部分12・112・212を設け、このカバー部分12・112・212は、光透過性若しくは光拡散性を有し且つ弾力性若しくは柔軟性を有する素材で構成して、このカバー部分12・112・212を前記光源32・132・232・532に向かって内側に押圧することにより、カバー部分12・112・212を、光源32・132・232・532から離れて位置する非変形構成12ａからカバー部分12・112・212が変形して光源32・132・232・532に近接状態に位置する変形構成12ｂに切り替え可能に構成し、このカバー部分12・112・212の前記変形構成12ｂに際して、カバー部分12・112・212の前記光源32・132・232・532に近接する部位にレンズアセンブリ30・130・230を設けて、このレンズアセンブリ30・130・230を介して前記光源32・132・232・532から発せられる光を前記カバー部分12・112・212の外方へ照射するように構成したことを特徴とする照明装置に係るものである。【００１３】
また、前記カバー部分12・112・212は、前記光源32・132・232・532の外側を覆うドーム型に構成し、このドーム型のカバー部分12・112・212の中心部に前記レンズアセンブリ30・130・230を設け、このレンズアセンブリ30・130・230若しくはこのレンズアセンブリ30・130・230の近くを前記光源32・132・232・532に向かって内側に押圧することにより、レンズアセンブリ30・130・230が最も光源32・132・232・532に近接した凹湾曲状の前記変形構成12ｂに前記カバー部分12・112・212が変形するように構成したことを特徴とする請求項３記載の照明装置に係るものである。【００１４】
また、光源32・132・232・532を備えたベース部分14に、前記光源32・132・232・532の外側を覆うカバー部分12・112・212を設け、このカバー部分12・112・212は、光透過性若しくは光拡散性を有し且つ弾力性若しくは柔軟性を有する素材で構成して、このカバー部分12・112・212を前記光源32・132・232・532に向かって内側に押圧することにより、カバー部分12・112・212を、光源32・132・232・532から離れて位置する非変形構成12ａからカバー部分12・112・212が変形して光源32・132・232・532に近接状態に位置する変形構成12ｂに切り替え可能に構成し、このカバー部分12・112・212の前記変形構成12ｂに際して、カバー部分12・112・212の前記光源32・132・232・532に近接する部位に開口部を設けて、この開口部を介して前記光源32・132・232・532から発せられる光を前記カバー部分12・112・212の外方へ照射するように構成したことを特徴とする照明装置に係るものである。【００１５】
また、前記カバー部分12・112・212は、前記光源32・132・232・532の外側を覆うドーム型に構成し、このドーム型のカバー部分12・112・212の中心部に前記開口部を設け、この開口部若しくはこの開口部の近くを前記光源32・132・232・532に向かって内側に押圧することにより、開口部が最も光源32・132・232・532に近接した凹湾曲状の前記変形構成12ｂに前記カバー部分12・112・212が変形するように構成したことを特徴とする請求項５記載の照明装置に係るものである。【００１６】
また、前記カバー部分12・112・212を、前記変形構成12ｂに位置決め保持する位置決め解除可能な位置決め機構36・38を備えたことを特徴とする請求項１〜６のいずれか１項に記載の照明装置に係るものである。【００１７】
また、前記ベース部分14に、ユーザーの頭に固定するためのストラップアセンブリ18を設け、このストラップアセンブリ18に吊り下げフックなどのアダプター22を設けたことを特徴とする請求項１〜６のいずれか１項に記載の照明装置に係るものである。【００１８】
また、前記ベース部分14に、ユーザーの頭に固定するためのストラップアセンブリ18を設け、このストラップアセンブリ18に吊り下げフックなどのアダプター22を設けたことを特徴とする請求項７記載の照明装置に係るものである。
【発明の効果】
【００１９】
請求項１，３，５記載の発明は上述のように構成したから、光源から発せられる光を、非変形構成のカバー部分を介した拡散光として照射できると共に、カバー部分を変形構成に切り替えることにより光照射部若しくはレンズアセンブリ若しくは開口部を介してカバー部分の外方へ例えば集中光線として照射でき、従って付属物等を要することなく、一台で拡散光と例えば集中光線とを切り替えて生成できる軽量で省電力で効率の良い照明装置となり、しかも、拡散光生成状態（カバー部の非変形構成）から例えば集中光線生成状態（カバー部の変形構成）への切り替え操作は、単にカバー部分を光源に向かって内側に押圧して変形させるだけで良いため、この切り替え操作性にも優れるなど、極めて実用性に優れた照明装置となる。【００２０】
また、特に請求項３記載の発明においては、例えばレンズアセンブリとして集光レンズを採用することによって、変形構成に際しての集中光線を容易に且つ確実に生成できる。【００２１】
また、請求項２，４，６記載の発明においては、ドーム型のカバー部分を介して拡散光を良好に照射でき、しかも、カバー部の凹湾曲状の変形構成が反射板のような機能を果たすために良好な集中光線を生成可能となるなど、極めて実用性に優れた構成の照明装置となる。【００２２】
また、請求項７記載の発明においては、変形構成を確実に保持できる一層実用性に優れた構成の照明装置となる。【００２３】
また、請求項８、９記載の発明においては、例えばキャンプや登山用途等に適したヘッドランプタイプの照明装置となり、しかも、アダプターを介して適所に接続可能であるので、ランタンとしても容易に使用可能であるなど、一層実用性に優れた構成の照明装置となる。
【図面の簡単な説明】
【００２４】
【図１】本実施例のランタン構成における斜視図である。
【図２】本実施例の集中光構成における斜視図である。
【図３】本実施例の集中光構成とランタン構成の部分切取り図である。
【図４】本実施例のランタン構成における部分切り取り図である。
【図５】本実施例の、傾斜がゼロより大きい値に調整された集中光構成における部分切取り図である。
【図６】本実施例の、傾斜がゼロより大きい値に調整された集中光構成における斜視図である。
【図７】本実施例の集中光構成における側面図である。
【図８】本実施例のランタン構成における平面図である。
【図９】本実施例の、傾斜がゼロより大きい値に調整された集中光構成における平面図である。
【図１０】本実施例の集中光構成における斜視図である。
【図１１】本実施例の、傾斜がゼロより大きい値に調整されたランタン構成における斜視図である。
【図１２】本実施例の、傾斜がゼロより大きい値に調整されたランタン構成における側面図である。
【図１３】本実施例の、統合吊り下げ装置を備えたランタン構成における斜視図である。
【図１４】本実施例の、傾斜がゼロより大きい値に調整された集中光構成における側面図である。
【図１５】本実施例の、傾斜がゼロより大きい値に調整された集中光構成における点灯状態の正面図である。
【図１６】本実施例の、傾斜がゼロより大きい値に調整された集中光構成における点灯状態の斜視図である。
【図１７】本実施例の、傾斜がゼロより大きい値に調整された集中光構成における平面図である。
【図１８】本実施例のランタン構成における正面図である。
【図１９】他の実施例の集中光構成における点灯状態の斜視図である。
【図２０】他の実施例のランタン構成における点灯状態の斜視図である。
【図２１】他の実施例のランタン構成における消灯状態の斜視図である。
【図２２】他の実施例のランタン構成における部分切り取り図である。
【図２３】他の実施例のランタン構成における正面図である。
【図２４】他の実施例の集中光構成における部分切り取り図である。
【図２５】他の実施例のランタン構成における斜視図である。
【図２６】他の実施例のランタン構成における部分切り取り図である。
【図２７】他の実施例のランタン構成における正面図である。
【図２８】他の実施例の集中光構成における部分切り取り図である。
【図２９】他の複数の実施例のランタン構成における正面図である。
【図３０】本実施例の回路図である。
【発明を実施するための形態】
【００２５】
好適と考える本発明の実施形態を、図面に基づいて本発明の作用を示して簡単に説明する。
【００２６】
カバー部分12・112・212が、光源32・132・232・532から離れて位置する非変形構成12ａでは、光源32・132・232・532から発せられる光が、光透過性若しくは光拡散性を有するカバー部分を介した拡散光となってカバー部分12・112・212の外方へ照射されることになる。
【００２７】
この非変形構成12ａから、カバー部分12・112・212を前記光源32・132・232・532に向かって内側に押圧すると、弾力性若しくは柔軟性を有するカバー部分12・112・212が変形移動して光源32・132・232・532に近接状態に位置する変形構成12ｂに切り替わり、この変形構成12ｂに際しては、前記光源32・132・232・532の光が、カバー部分12・112・212の前記光源32・132・232・532に近接する部位に設けた光照射部若しくはレンズアセンブリ30・130・230若しくは開口部から、カバー部分12・112・212の外方へと照射されることになる。
【００２８】
即ち、この変形構成12ｂに際しては、光源32・132・232・532と光照射部若しくはレンズアセンブリ30・130・230若しくは開口部とが近接状態であるから、近接する光照射部若しくはレンズアセンブリ30・130・230若しくは開口部から例えばスポット光のような集中光線となってカバー部分12・112・212の外方へと照射され易くなる。
【００２９】
また、カバー部分12・112・212にレンズアセンブリ30・130・230を設けた場合に、このレンズアセンブリ30・130・230として集光レンズを採用すれば、変形構成12ｂに際して容易に且つ確実に集中光線を生成可能となる。
【００３０】
従って、本発明によれば、付属物等を要することなく、一台で拡散光と例えば集中光線とを切り替えて生成できる軽量で省電力で効率の良い照明装置となり、また、拡散光生成状態（カバー部分12・112・212の非変形構成12ａ）から例えば集中光線生成状態（カバー部分12・112・212の変形構成12ｂ）への切り替え操作も、単にカバー部分12・112・212を光源32・132・232・532に向かって内側に押圧して変形させるだけで良いので、非常に容易に操作可能である。
【実施例】
【００３１】
本発明の具体的な実施例について図面に基づいて説明する。【００３２】
本発明の代表的な実施例は図１乃至３０に示されており、そこにおいて同じあるいは一般的に類似する特徴は、共通の参照番号を用いている。【００３３】
図１は、本実施例の照明装置20の、拡散光を生成するランタン構成における斜視図を示す。【００３４】
本実施例の照明装置20は、ベース部分14と、光源32と、レンズアセンブリ30と、カバー部分12とを具備する照明器具10とし、前記レンズアセンブリ30は前記光源32から離れた位置から前記光源32にほぼ隣接する位置まで平行移動可能であり、前記カバー部分12は、前記レンズアセンブリ30の平行移動の間、前記レンズアセンブリ30を支持するように構成されている。【００３５】
カバー部分12は、ドーム型とし、厚みのある円盤状のベース部分14の一側に突設している。尚、このカバー部分12は、後に説明するように、様々な形状に構成されてもよい。【００３６】
また、ベース部分14の外周面に電源スイッチ60を設け、この電源スイッチ60を操作することによって点灯・消灯制御や、常時点灯・ストロボ切り替え、照度切り替えを行えるように構成している。【００３７】
図２は、図１のカバー部分12を、ドーム型の真ん中で内側に変形したものを示す。【００３８】
図３は、照明器具10の実施例の部分切り取り図を示す。カバー部分12は、12ａと12ｂとして二度表示され、そこにおいて12ａは非変形構成であるドーム型のカバー部分12であり、12ｂはドーム型のカバー部分12の中心が光源32に向かって押された変形構成であるカバー部分12である。【００３９】
また、非変形構成12ａは、「ランタン」構成において照明器具10として説明されてもよく、変形構成12ｂは「集中光」構成において照明器具10として説明されてもよい。【００４０】
図３は、カバー部分12に適合されたレンズアセンブリ30と内部表面34の近くに設置された光源32も示す。カバー部分12は、カバー部分12が集中光構成（変形構成12ｂ）に変形されたとき、レンズアセンブリ30が光源32の近接に移動させられるように、レンズアセンブリ30が塞ぐかもしれない位置に孔を備えてもよい。【００４１】
レンズアセンブリ30は、光源32から放出される光の一部からそのほとんどをレンズアセンブリ30を通すように方向付け、所望の照明効果を生み出すように構成されてもよい。前記照明効果は、集中光線あるいは、レンズアセンブリ30が光源32に近接していないときより、拡散が少ない光でもよい。【００４２】
レンズアセンブリ30は、レンズアセンブリ30の上あるいは近くの位置決め機構38、そして光源32の近くの位置決め機構36により誘導され、固定されてもよい。【００４３】
位置決め機構36・38は、１つだけ存在するように構成されてもよいし、協働であるいは独立で機能してもよい。また、位置決め機構36・38は、位置決め機構36にある磁石とそれと相互に引き付けられる位置決め機構38にあるもう１つの磁石の形をとるか、磁石と引力を持つ金属のどれか一方と各位置にある磁石と引力を持つ金属との組み合わせの形をとるか、あるいは凹所と前記凹所に嵌合するように構成された突起物の形を取ってもよく、前記凹所は、溝と、前記溝の側面に締まり嵌めとして嵌合し取り外し可能に係合するよう改変された突起物の形をとってもよい。また、電磁石と金属の組み合わせ、面ファスナ、粘着性あるいは再使用可能接着剤を含んでもよいが、これらに限定されない。【００４４】
さらに、位置決め機構36・38は、レンズアセンブリ30を長手方向と径方向の両方において光源32に近接して保持してもよく、言い換えれば、位置決め機構36・38は、レンズアセンブリ30を三次元において光源32に近接して保持してもよい。【００４５】
カバー部分12は、変形可能な素材から成ってもよい。前記変形可能な素材は弾力性があるか柔軟でもよい。前記素材は、光透過性および拡散性あるいはそのどちらかを備えていてもよい。適当な素材は、エラストマーあるいは伸縮性素材、例えばゴム、ゴム化合物、熱可逆性エラストマー、あるいは熱可逆性ポリウレタン、熱可逆性ゴム、あるいはシリコーンを含むがこれらに限定されない。使用される素材は、非変形位置（カバー部分12が非変形構成12ａ）にある間は所望のレベルまで光を拡散するだけでなく、望みの弾力性および耐久性も提供するよう改変されてもよい。選択される素材は、用いられる構成と厚さを決定する可能性がある。壁厚は、透明性、拡散性、弾力性、耐久性、製造性、コストの所望の組み合わせを達成するよう１ミリ未満から５ミリを超えるまでの範囲としてもよいことは当業者に知られている。【００４６】
また、カバー部分12は、前記位置決め機構36・38が、レンズアセンブリ30を光源32の近くあるいは近接に位置決めし取り外し可能に保持することを可能にするように、光源32に向かって内側に、レンズアセンブリ30を押すことにより、あるいはレンズアセンブリ30の近くを押すことにより、光源32の近接に移動するよう構成されてもよい。レンズアセンブリ30は、位置決め機構36・38の保持力に打ち勝つようレンズアセンブリ30から離れた点でカバー部分12の上を内に押すことにより光源32から移動されてもよい。【００４７】
また、カバー部分12は、レンズアセンブリ30若しくはこのレンズアセンブリ30の近くを前記光源32に向かって内側に押圧することにより、レンズアセンブリ30が最も光源32に近接した凹湾曲状（凹半球形状）の前記変形構成12ｂに変形するように構成している。【００４８】
光源32は、発光ダイオード（ＬＥＤ）、２つ以上のＬＥＤ、および白熱光源あるいは蛍光灯源を含む電気的光源であってもよいが、これらに限定されない。【００４９】
レンズアセンブリ30は、光源32から発せられる光を方向付けて焦点を合わせるか焦点をぼかすよう構成されてもよい。当業者は、単一光源あるいは複数光源から所望の光線を作り出すレンズを作成するために使用される様々な構成と素材を認識するであろう。【００５０】
照明器具10は、ほぼ密閉するか密閉可能でもよい。密閉は、器具を損傷する可能性がある不必要な残骸や水の侵入を防ぐかもしれない。前記密閉は、カバー部分12の移動あるいは変形が器具内の圧力を増加させるあるいは減少させるようカバー部分12の下の区域16内の空気を閉じ込めてもよい。前記器具は、レンズアセンブリ30が光源32に近接するようカバー部分12が変形されたとき（変形構成12ｂとなったとき）、より高い圧力を生じさせるよう密閉されてもよい。この増加された圧力により、位置決め機構36・38が、変形に抵抗する圧力に関連する分離力に打ち勝つよう適切に構成される必要があるかもしれない。この正圧は、ユーザーがカバー部分12を非変形位置（非変形構成12ａ）に戻す際に手助けにもなる。【００５１】
内部表面34は、反射面になるよう処理を施されてもよい。ベース部分14は動力源40を収容してもよい。動力源は、電池、太陽系、風力系、クランク系、燃料電池、燃焼による動力源を含む電源から成ってもよいが、これらに限定されない。【００５２】
図４は、照明器具10の実施例の部分切り取り図を示す。本実施例において、カバー部分12は、非変形形状（非変形構成12ａ）で示されている。【００５３】
図５は、本実施例の、傾斜がゼロより大きい値に調整された集中光構成における部分切取り図を示す。【００５４】
具体的には、ベース部分14にチルト機構を設けて、光源32を傾動可能に構成している。このチルト機構は、ベース部分14にヒンジを設け、このヒンジを介してベース部分14とともに光源32が傾動するように構成している。【００５５】
また、このヒンジには、係止爪とこの係止爪が係合可能な複数の係合部とを設けて、この係止爪を複数の係合部に選択係合することで、光源の傾斜角度（光照射角度）を選択的に変更可能な構成としている。【００５６】
本実施例において、照明器具10は、レンズアセンブリ30を通して光源32から発せられる光が取り付け表面52の中心軸から離れて方向付けされるよう調整されてもよい。【００５７】
図６は、本実施例の、傾斜がゼロより大きい値に調整された集中光構成における斜視図を示す。【００５８】
本実施例において、照明装置20は、ストラップアセンブリ18をアダプター22と共に使用することによりユーザーの頭の周りに固定するよう構成されてもよい。アダプター22は、ストラップアセンブリ18を異なる長さで調整できるように保持できるように構成されてもよい。アダプター22は、様々な表面および構造に取り外し可能に取り付けるようにも構成されてもよい。このような構成の１つは図１３に見られるようなフックの形であってもよい。【００５９】
図７乃至２１は、他の様々な実施例の図を示す。図１４乃至２１に示した実施例では、レンズアセンブリ30はカバー部分12に取り付けられておらず、カバー部分12の中心部には開口部（貫通穴）を設けている。この開口部は、カバー部分12が変形されている間（変形構成12ｂとなっている間）、光源32が開口部を通過してカバー部分12の外側へ突出できるように改変されている。また、レンズアセンブリ30が光源32に隣接して固定され、カバー部分12が変形されている間、レンズアセンブリ30が開口部を通過できるように改変されてもよい。レンズアセンブリ30あるいは他の機構が、変形の状態でカバー部分12を取り外し可能に保持するように使用されてもよい。【００６０】
また、図１４乃至１８は、ベース部分14に、その光源配設側が上下方向に弧状の軌跡を描くようにスライド移動するスライド機構部を設けて、このスライド機構部を介した光源配設側のスライド移動により光源32が傾動するチルト機構を構成している。【００６１】
図２２乃至２５は、他の様々な実施例の図を示す。図２２は、アコーディオンのような変形機構で構成されてもよいカバー部分112と、光源132と、レンズアセンブリ130とを具備してもよい照明器具110の実施例の部分切り取り図を示す。図２３は、照明器具110の実施例の正面図を示す。図２４は、レンズアセンブリ130が光源132に近接してもよい、照明器具110の実施例の切り取り図を示す。図２５は、照明器具110の実施例の斜視図である。【００６２】
図２６は、側断面六角形の幾何学的機構で構成されてもよいカバー部分212と、光源232と、レンズアセンブリ230とを具備してもよい照明器具210の実施例の部分切り取り図を示す。図２７は、照明器具210の実施例の正面図を示す。図２８は、レンズアセンブリ230が光源232の近接に移動された、照明器具210の実施例の部分切り取り図を示す。例えば、光源232は複数のＬＥＤを具備してもよく、レンズアセンブリ230は、複数のＬＥＤを操作可能に受け、ほぼ集中された光線の光をレンズアセンブリ230を通して方向付けするよう改変されてもよい。【００６３】
カバー部分12・212・212の変形機構は、一定の、所定の、あるいはより容易な変形をもたらすよう作成されてもよい。前記変形機構は、変形機構のサイズと構成により、拡散光にわずかなあるいは所望の効果を持ってもよい。前記変形機構は、折り目、素材が減少された部分、あるいは素材が増加された部分の形を取ってもよい。前記折り目、素材の減少あるいは増加は、前記カバー部分12・212・212成形の間あるいは、カバー部分12・212・212の最初の作成後に作成されてもよい。当業者は、素材の追加、素材の減量、あるいは折り目形成の作成技術の様々な方法を知り、理解するであろう。【００６４】
図２９は、他の実施例の図を示す。これらの実施例は、カバー部分12・212・212が持つことができる、球形区域、二十面体、切頭二十面体、十二面体、角錐、円柱、円錐、角柱、ならびに前述あるいは他の形状のいずれかを歪曲したあるいは伸長したものを含むが、これらに限定されない可能な幾何学的形状のいくつかのみを示す。ほとんどどのような形状でも、商用認可された画像や形状を含むように改変されてもよいが、これらに限定されないものに改変されてもよいことを当業者は理解する。活字、画像、あるいは色をカバー部分12・212・212に追加してもよい。【００６５】
図３０は、本実施例の回路を示す。本実施例では、回路510は回路を完結あるいは中断するスイッチ560を持つ光源532に接続された電源540を具備する。また、前記回路510は、調光器、輝度調整器、タイマー、フラッシャー、あるいは他の機構を含むがこれらに限定されない機構を付加する要素を含んでもよい。【００６６】
照明装置20の１つの実施例はランタンに変換できるヘッドランプとしてであるが、乗り物、ベッド付近、あるいは机に取り付けられた天井灯あるいは読書灯を含むがこれらに限定されない。【００６７】
尚、本発明は、本実施例に限られるものではなく、説明され描写されてきた細部、素材、ならびにパーツの配置および作用において多くの改変および変更が可能である。
【図１】
2012099173.tif 000003
【図２】
2012099173.tif 000004
【図３】
2012099173.tif 000005
【図４】
2012099173.tif 000006
【図５】
2012099173.tif 000007
【図６】
2012099173.tif 000008
【図７】
2012099173.tif 000009
【図８】
2012099173.tif 000010
【図９】
2012099173.tif 000011
【図１０】
2012099173.tif 000012
【図１１】
2012099173.tif 000013
【図１２】
2012099173.tif 000014
【図１３】
2012099173.tif 000015
【図１４】
2012099173.tif 000016
【図１５】
2012099173.tif 000017
【図１６】
2012099173.tif 000018
【図１７】
2012099173.tif 000019
【図１８】
2012099173.tif 000020
【図１９】
2012099173.tif 000021
【図２０】
2012099173.tif 000022
【図２１】
2012099173.tif 000023
【図２２】
2012099173.tif 000024
【図２３】
2012099173.tif 000025
【図２４】
2012099173.tif 000026
【図２５】
2012099173.tif 000027
【図２６】
2012099173.tif 000028
【図２７】
2012099173.tif 000029
【図２８】
2012099173.tif 000030
【図２９】
2012099173.tif 000031
【図３０】
2012099173.tif 000032
【手続補正書】
【提出日】平成24年8月20日(2012.8.20)
【手続補正１】
【補正対象書類名】特許請求の範囲
【補正対象項目名】全文
【補正方法】変更
【補正の内容】
【特許請求の範囲】
【請求項１】
光源を備えたベース部分に、前記光源の外側を覆うカバー部分を設け、このカバー部分は、光透過性若しくは光拡散性を有し且つ弾力性若しくは柔軟性を有する素材で構成して、このカバー部分を前記光源に向かって内側に押圧することにより、カバー部分を、光源から離れて位置する非変形構成から、カバー部分が変形して光源に近接状態に位置する変形構成に切り替え可能に構成し、このカバー部分は、前記光源の外側を覆うドーム型に構成し、このドーム型のカバー部分の中心部に、前記変形構成において前記光源に近接して前記光源から発せられる光をカバー部分の外方へ照射する光照射部を設け、この光照射部若しくはこの光照射部の近くを前記光源に向かって内側に押圧することにより、前記カバー部分の中心部の前記光照射部が前記光源から離れて位置するドーム型の前記非変形構成から、このカバー部分が変形してこの光照射部が最も光源に近接した凹湾曲状の前記変形構成に切り替え変形するように構成したことを特徴とする照明装置。
【請求項２】
（削除）
【請求項３】
前記光源の外側を覆うドーム型に構成した前記カバー部分を前記凹湾曲状の変形構成に変形した際、前記カバー部分の中心部の前記光源に最も近接する部位にレンズアセンブリを設けて前記光照射部を構成し、このレンズアセンブリ若しくはこのレンズアセンブリの近くを前記光源に向かって内側に押圧することにより、レンズアセンブリが最も光源に近接した凹湾曲状の前記変形構成に前記カバー部分が変形し、このレンズアセンブリを介して前記光源から発せられる光を前記カバー部分の外方へ照射するように構成したことを特徴とする請求項１記載の照明装置。
【請求項４】
（削除）
【請求項５】
前記光源の外側を覆うドーム型に構成した前記カバー部分を前記凹湾曲状の変形構成に変形した際、前記カバー部分の中心部の前記光源に最も近接する部位に開口部を設けて前記光照射部を構成し、この開口部を介して前記光源から発せられる光を前記カバー部分の外方へ照射するように構成したことを特徴とする請求項１記載の照明装置。
【請求項６】
（削除）
【請求項７】
前記カバー部分を、前記変形構成に位置決め保持する位置決め解除可能な位置決め機構を備えたことを特徴とする請求項１，３，５のいずれか１項に記載の照明装置。
【請求項８】
前記ベース部分に、ユーザーの頭に固定するためのストラップアセンブリを設け、このストラップアセンブリに吊り下げフックなどのアダプターを設けたことを特徴とする請求項１，３，５のいずれか１項に記載の照明装置。
【請求項９】
前記ベース部分に、ユーザーの頭に固定するためのストラップアセンブリを設け、このストラップアセンブリに吊り下げフックなどのアダプターを設けたことを特徴とする請求項７記載の照明装置。
【手続補正２】
【補正対象書類名】明細書
【補正対象項目名】０００２
【補正方法】変更
【補正の内容】
【０００２】
加されるものであった。
発明の概要
発明が解決しようとする課題
［０００７］
別個の付属物等を要せずに、一台で拡散光と集中光線とを生成できる軽量で省電力で効率の良い照明装置の登場がユーザーから望まれている。
［０００８］
本発明は、上述のニーズに対応する照明装置を提供するものである。
課題を解決するための手段
［０００９］
添付図面を参照して本発明の要旨を説明する。
［００１０］
光源３２・１３２・２３２・５３２を備えたベース部分１４に、前記光源３２・１３２・２３２・５３２の外側を覆うカバー部分１２・１１２・２１２を設け、このカバー部分１２・１１２・２１２は、光透過性若しくは光拡散性を有し且つ弾力性若しくは柔軟性を有する素材で構成して、このカバー部分１２・１１２・２１２を前記光源３２・１３２・２３２・５３２に向かって内側に押圧することにより、カバー部分１２・１１２・２１２を、光源３２・１３２・２３２・５３２から離れて位置する非変形構成１２ａから、カバー部分１２・１１２・２１２が変形して光源３２・１３２・２３２・５３２に近接状態に位置する変形構成１２ｂに切り替え可能に構成し、このカバー部分１２・１１２・２１２は、前記光源３２・１３２・２３２・５３２の外側を覆うドーム型に構成し、このドーム型のカバー部分１２・１１２・２１２の中心部に、前記変形構成１２ｂにおいて前記光源３２・１３２・２３２・５３２に近接して前記光源３２・１３２・２３２・５３２から発せられる光をカバー部分１２・１１２・２１２の外方へ照射する光照射部を設け、この光照射部若しくはこの光照射部の近くを前記光源３２・１３２・２３２・５３２に向かって内側に押圧することにより、前記カバー部分１２・１１２・２１２の中心部の前記光照射部が前記光源３２・１３２・２３２・５３２から離れて位置するドーム型の前記非変形構成１２ａから、このカバー部分１２・１１２・２１２が変形してこの光照射部が最も光源３２・１３２・２３２・５３２に近接した凹湾曲状の前記変形構成１２ｂに切り替え変形するように構成したことを特徴とする照明装置に係るものである。
［００１１］
［００１２］
また、前記光源３２・１３２・２３２・５３２の外側を覆うドーム型に構成した前記
【手続補正３】
【補正対象書類名】明細書
【補正対象項目名】０００３
【補正方法】変更
【補正の内容】
【０００３】
カバー部分１２・１１２・２１２を前記凹湾曲状の変形構成１２ｂに変形した際、前記カバー部分１２・１１２・２１２の中心部の前記光源３２・１３２・２３２・５３２に最も近接する部位にレンズアセンブリ３０・１３０・２３０を設けて前記光照射部を構成し、このレンズアセンブリ３０・１３０・２３０若しくはこのレンズアセンブリ３０・１３０・２３０の近くを前記光源３２・１３２・２３２・５３２に向かって内側に押圧することにより、レンズアセンブリ３０・１３０・２３０が最も光源３２・１３２・２３２・５３２に近接した凹湾曲状の前記変形構成１２ｂに前記カバー部分１２・１１２・２１２が変形し、このレンズアセンブリ３０・１３０・２３０を介して前記光源３２・１３２・２３２・５３２から発せられる光を前記カバー部分１２・１１２・２１２の外方へ照射するように構成したことを特徴とする請求項１記載の照明装置に係るものである。
［００１３］
［００１４］
また、前記光源３２・１３２・２３２・５３２の外側を覆うドーム型に構成した前記カバー部分１２・１１２・２１２を前記凹湾曲状の変形構成１２ｂに変形した際、前記カバー部分１２・１１２・２１２の中心部の前記光源３２・１３２・２３２・５３２に最も近接する部位に開口部を設けて前記光照射部を構成し、この開口部を介して前記光源３２・１３２・２３２・５３２から発せられる光を前記カバー部分１２・１１２・２１２の外方へ照射するように構成したことを特徴とする請求項１記載の照明装置に係るものである。
【手続補正４】
【補正対象書類名】明細書
【補正対象項目名】０００４
【補正方法】変更
【補正の内容】
【０００４】
［００１５］
［００１６］
また、前記カバー部分１２・１１２・２１２を、前記変形構成１２ｂに位置決め保持する位置決め解除可能な位置決め機構３６・３８を備えたことを特徴とする請求項１，３，５のいずれか１項に記載の照明装置に係るものである。
［００１７］
また、前記ベース部分１４に、ユーザーの頭に固定するためのストラップアセンブリ１８を設け、このストラップアセンブリ１８に吊り下げフックなどのアダプター２２を設けたことを特徴とする請求項１，３，５のいずれか１項に記載の照明装置に係るものである。
［００１８］
また、前記ベース部分１４に、ユーザーの頭に固定するためのストラップアセンブリ１８を設け、このストラップアセンブリ１８に吊り下げフックなどのアダプター２２を設けたことを特徴とする請求項７記載の照明装置に係るものである。
発明の効果
［００１９］
請求項１，３，５記載の発明は上述のように構成したから、光源から発せられる光を、非変形構成のカバー部分を介した拡散光として照射できると共に、カバー部分を変形構成に切り替えることにより光照射部若しくはレンズアセンブリ若しくは開口部を介してカバー部分の外方へ例えば集中光線として照射でき、従って付属物等を要することなく、一台で拡散光と例えば集中
【手続補正５】
【補正対象書類名】明細書
【補正対象項目名】０００５
【補正方法】変更
【補正の内容】
【０００５】
光線とを切り替えて生成できる軽量で省電力で効率の良い照明装置となり、しかも、拡散光生成状態（カバー部の非変形構成）から例えば集中光線生成状態（カバー部の変形構成）への切り替え操作は、単にカバー部分を光源に向かって内側に押圧して変形させるだけで良いため、この切り替え操作性にも優れるなど、極めて実用性に優れた照明装置となる。
［００２０］
また、特に請求項３記載の発明においては、例えばレンズアセンブリとして集光レンズを採用することによって、変形構成に際しての集中光線を容易に且つ確実に生成できる。
［００２１］
［００２２］
また、請求項７記載の発明においては、変形構成を確実に保持できる一層実用性に優れた構成の照明装置となる。
［００２３］
また、請求項８、９記載の発明においては、例えばキャンプや登山用途等に適したヘッドランプタイプの照明装置となり、しかも、アダプターを介して適所に接続可能であるので、ランタンとしても容易に使用可能であるなど、一層実用性に優れた構成の照明装置となる。
図面の簡単な説明
［００２４］
［図１］本実施例のランタン構成における斜視図である。
［図２］本実施例の集中光構成における斜視図である。
［図３］本実施例の集中光構成とランタン構成の部分切取り図である。
［図４］本実施例のランタン構成における部分切り取り図である。
［図５］本実施例の、傾斜がゼロより大きい値に調整された集中光構成における部分切取り図である。
［図６］本実施例の、傾斜がゼロより大きい値に調整された集中光構成における斜視図である。
［図７］本実施例の集中光構成における側面図である。
【手続補正書】
【提出日】平成25年12月17日(2013.12.17)
【手続補正１】
【補正対象書類名】特許請求の範囲
【補正対象項目名】全文
【補正方法】変更
【補正の内容】
【特許請求の範囲】
【請求項１】
光源を備えたベース部分に、前記光源の外側を覆うカバー部分を設け、このカバー部分は、光透過性若しくは光拡散性を有し且つ弾力性若しくは柔軟性を有する素材で構成して、このカバー部分を前記光源に向かって内側に押圧することにより、カバー部分を、光源から離れて位置する非変形構成から、カバー部分が変形して光源に近接状態に位置する変形構成に切り替え可能に構成し、このカバー部分は、前記光源の外側を覆うドーム型に構成し、このドーム型のカバー部分の中心部に、前記変形構成において前記光源に近接して前記光源から発せられる光をカバー部分の外方へ照射する光照射部を設け、この光照射部若しくはこの光照射部の近くを前記光源に向かって内側に押圧することにより、前記カバー部分の中心部の前記光照射部が前記光源から離れて位置するドーム型の前記非変形構成から、このカバー部分が変形してこの光照射部が最も光源に近接した凹湾曲状の前記変形構成に切り替え変形するように構成したことを特徴とする照明装置。
【請求項２】
前記光源の外側を覆うドーム型に構成した前記カバー部分を前記凹湾曲状の変形構成に変形した際、前記カバー部分の中心部の前記光源に最も近接する部位にレンズアセンブリを設けて前記光照射部を構成し、このレンズアセンブリ若しくはこのレンズアセンブリの近くを前記光源に向かって内側に押圧することにより、レンズアセンブリが最も光源に近接した凹湾曲状の前記変形構成に前記カバー部分が変形し、このレンズアセンブリを介して前記光源から発せられる光を前記カバー部分の外方へ照射するように構成したことを特徴とする請求項１記載の照明装置。
【請求項３】
前記光源の外側を覆うドーム型に構成した前記カバー部分を前記凹湾曲状の変形構成に変形した際、前記カバー部分の中心部の前記光源に最も近接する部位に開口部を設けて前記光照射部を構成し、この開口部を介して前記光源から発せられる光を前記カバー部分の外方へ照射するように構成したことを特徴とする請求項１記載の照明装置。
【請求項４】
前記カバー部分を、前記変形構成に位置決め保持する位置決め解除可能な位置決め機構を備えたことを特徴とする請求項１〜３のいずれか１項に記載の照明装置。
【請求項５】
前記ベース部分に、ユーザーの頭に固定するためのストラップアセンブリを設け、このストラップアセンブリに吊り下げフックなどのアダプターを設けたことを特徴とする請求項１〜４のいずれか１項に記載の照明装置。
【手続補正２】
【補正対象書類名】明細書
【補正対象項目名】全文
【補正方法】変更
【補正の内容】
【発明の詳細な説明】
【技術分野】
【０００１】
本発明は、照明装置に関するものである。
【背景技術】
【０００２】
多くのキャンパーやハイカーは、活動に従事している間はヘッドランプを使用することが多い。
【０００３】
ところで、ヘッドランプは、一直線の光線のみしか提供しないものが多いが、キャンプなどの活動においては、ランタンタイプの光（拡散光）を必要とする場合がよくある。
【０００４】
そこで、別個の集中化光源と拡散光、あるいはランタンタイプの光という別々の光源の必要性を減じるため、ヘッドランプの製造者は、ヘッドランプを覆いヘッドランプから集中光を取り、それを内部表面に反射させ、それから一定の材料を通して光を拡散させるための別個の付属物を開発した。
【０００５】
この手法の例は、http://www.mammut.ch/en/productDetail/232000220_v_0001/TR1+%2B+_Ambient+light+Set.htmlにあるMammutによるTR1+Ambient light Setならびにhttp://joby.com/gorillatorch/swichbackにあるJOBYのゴリラトーチ・スイッチバックによって示される。しかし、本手法は、追加の、別個で、そしてしばしばかさばる装置の付属品を必要とし、さらに、光の集中、それに続く散乱ならびに拡散により、光の非効率が起こる可能性があった。
【０００６】
他の手法は、Tarterの米国特許番号７６３５１９５に示されたように、ランタンモードのときにのみ使用する追加の光源を付加するというものがある。しかし、本手法は、ヘッドランプ構成において別個の光が使用される一方、ランタン構成に使用する専用の光源が必要とされ、これによって、ランタン構成のときの方がヘッドランプ構成のときよりエネルギー消費が大きくなり、その上、追加された光源により装置のサイズ、重量、および複雑さが付加されるものであった。
【発明の概要】
【発明が解決しようとする課題】
【０００７】
別個の付属物等を要せずに、一台で拡散光と集中光線とを生成できる軽量で省電力で効率の良い照明装置の登場がユーザーから望まれている。
【０００８】
本発明は、上述のニーズに対応する照明装置を提供するものである。
【課題を解決するための手段】
【０００９】
添付図面を参照して本発明の要旨を説明する。
【００１０】
光源32・132・232・532を備えたベース部分14に、前記光源32・132・232・532の外側を覆うカバー部分12・112・212を設け、このカバー部分12・112・212は、光透過性若しくは光拡散性を有し且つ弾力性若しくは柔軟性を有する素材で構成して、このカバー部分12・112・212を前記光源32・132・232・532に向かって内側に押圧することにより、カバー部分12・112・212を、光源32・132・232・532から離れて位置する非変形構成12ａから、カバー部分12・112・212が変形して光源32・132・232・532に近接状態に位置する変形構成12ｂに切り替え可能に構成し、このカバー部分12・112・212は、前記光源32・132・232・532の外側を覆うドーム型に構成し、このドーム型のカバー部分12・112・212の中心部に、前記変形構成12ｂにおいて前記光源32・132・232・532に近接して前記光源32・132・232・532から発せられる光をカバー部分12・112・212の外方へ照射する光照射部を設け、この光照射部若しくはこの光照射部の近くを前記光源32・132・232・532に向かって内側に押圧することにより、前記カバー部分12・112・212の中心部の前記光照射部が前記光源32・132・232・532から離れて位置するドーム型の前記非変形構成12ａから、このカバー部分12・112・212が変形してこの光照射部が最も光源32・132・232・532に近接した凹湾曲状の前記変形構成12ｂに切り替え変形するように構成したことを特徴とする照明装置に係るものである。
【００１１】
また、前記光源32・132・232・532の外側を覆うドーム型に構成した前記カバー部分12・112・212を前記凹湾曲状の変形構成12ｂに変形した際、前記カバー部分12・112・212の中心部の前記光源32・132・232・532に最も近接する部位にレンズアセンブリ30・130・230を設けて前記光照射部を構成し、このレンズアセンブリ30・130・230若しくはこのレンズアセンブリ30・130・230の近くを前記光源32・132・232・532に向かって内側に押圧することにより、レンズアセンブリ30・130・230が最も光源32・132・232・532に近接した凹湾曲状の前記変形構成12ｂに前記カバー部分12・112・212が変形し、このレンズアセンブリ30・130・230を介して前記光源32・132・232・532から発せられる光を前記カバー部分12・112・212の外方へ照射するように構成したことを特徴とする請求項１記載の照明装置に係るものである。
【００１２】
また、前記光源32・132・232・532の外側を覆うドーム型に構成した前記カバー部分12・112・212を前記凹湾曲状の変形構成12ｂに変形した際、前記カバー部分12・112・212の中心部の前記光源32・132・232・532に最も近接する部位に開口部を設けて前記光照射部を構成し、この開口部を介して前記光源32・132・232・532から発せられる光を前記カバー部分12・112・212の外方へ照射するように構成したことを特徴とする請求項１記載の照明装置に係るものである。
【００１３】
また、前記カバー部分12・112・212を、前記変形構成12ｂに位置決め保持する位置決め解除可能な位置決め機構36・38を備えたことを特徴とする請求項１〜３のいずれか１項に記載の照明装置に係るものである。
【００１４】
また、前記ベース部分14に、ユーザーの頭に固定するためのストラップアセンブリ18を設け、このストラップアセンブリ18に吊り下げフックなどのアダプター22を設けたことを特徴とする請求項１〜４のいずれか１項に記載の照明装置に係るものである。
【発明の効果】
【００１５】
請求項１，２，３記載の発明は上述のように構成したから、光源から発せられる光を、非変形構成のカバー部分を介した拡散光として照射できると共に、カバー部分を変形構成に切り替えることにより光照射部若しくはレンズアセンブリ若しくは開口部を介してカバー部分の外方へ例えば集中光線として照射でき、従って付属物等を要することなく、一台で拡散光と例えば集中光線とを切り替えて生成できる軽量で省電力で効率の良い照明装置となり、しかも、拡散光生成状態（カバー部の非変形構成）から例えば集中光線生成状態（カバー部の変形構成）への切り替え操作は、単にカバー部分を光源に向かって内側に押圧して変形させるだけで良いため、この切り替え操作性にも優れるなど、極めて実用性に優れた照明装置となる。
【００１６】
また、特に請求項２記載の発明においては、例えばレンズアセンブリとして集光レンズを採用することによって、変形構成に際しての集中光線を容易に且つ確実に生成できる。
【００１７】
また、請求項４記載の発明においては、変形構成を確実に保持できる一層実用性に優れた構成の照明装置となる。
【００１８】
また、請求項５記載の発明においては、例えばキャンプや登山用途等に適したヘッドランプタイプの照明装置となり、しかも、アダプターを介して適所に接続可能であるので、ランタンとしても容易に使用可能であるなど、一層実用性に優れた構成の照明装置となる。
【図面の簡単な説明】
【００１９】
【図１】本実施例のランタン構成における斜視図である。
【図２】本実施例の集中光構成における斜視図である。
【図３】本実施例の集中光構成とランタン構成の部分切取り図である。
【図４】本実施例のランタン構成における部分切り取り図である。
【図５】本実施例の、傾斜がゼロより大きい値に調整された集中光構成における部分切取り図である。
【図６】本実施例の、傾斜がゼロより大きい値に調整された集中光構成における斜視図である。
【図７】本実施例の集中光構成における側面図である。
【図８】本実施例のランタン構成における平面図である。
【図９】本実施例の、傾斜がゼロより大きい値に調整された集中光構成における平面図である。
【図１０】本実施例の集中光構成における斜視図である。
【図１１】本実施例の、傾斜がゼロより大きい値に調整されたランタン構成における斜視図である。
【図１２】本実施例の、傾斜がゼロより大きい値に調整されたランタン構成における側面図である。
【図１３】本実施例の、統合吊り下げ装置を備えたランタン構成における斜視図である。
【図１４】本実施例の、傾斜がゼロより大きい値に調整された集中光構成における側面図である。
【図１５】本実施例の、傾斜がゼロより大きい値に調整された集中光構成における点灯状態の正面図である。
【図１６】本実施例の、傾斜がゼロより大きい値に調整された集中光構成における点灯状態の斜視図である。
【図１７】本実施例の、傾斜がゼロより大きい値に調整された集中光構成における平面図である。
【図１８】本実施例のランタン構成における正面図である。
【図１９】他の実施例の集中光構成における点灯状態の斜視図である。
【図２０】他の実施例のランタン構成における点灯状態の斜視図である。
【図２１】他の実施例のランタン構成における消灯状態の斜視図である。
【図２２】他の実施例のランタン構成における部分切り取り図である。
【図２３】他の実施例のランタン構成における正面図である。
【図２４】他の実施例の集中光構成における部分切り取り図である。
【図２５】他の実施例のランタン構成における斜視図である。
【図２６】他の実施例のランタン構成における部分切り取り図である。
【図２７】他の実施例のランタン構成における正面図である。
【図２８】他の実施例の集中光構成における部分切り取り図である。
【図２９】他の複数の実施例のランタン構成における正面図である。
【図３０】本実施例の回路図である。
【発明を実施するための形態】
【００２０】
好適と考える本発明の実施形態を、図面に基づいて本発明の作用を示して簡単に説明する。
【００２１】
カバー部分12・112・212が、光源32・132・232・532から離れて位置する非変形構成12ａでは、光源32・132・232・532から発せられる光が、光透過性若しくは光拡散性を有するカバー部分を介した拡散光となってカバー部分12・112・212の外方へ照射されることになる。
【００２２】
この非変形構成12ａから、カバー部分12・112・212を前記光源32・132・232・532に向かって内側に押圧すると、弾力性若しくは柔軟性を有するカバー部分12・112・212が変形移動して光源32・132・232・532に近接状態に位置する変形構成12ｂに切り替わり、この変形構成12ｂに際しては、前記光源32・132・232・532の光が、カバー部分12・112・212の前記光源32・132・232・532に近接する部位に設けた光照射部若しくはレンズアセンブリ30・130・230若しくは開口部から、カバー部分12・112・212の外方へと照射されることになる。
【００２３】
即ち、この変形構成12ｂに際しては、光源32・132・232・532と光照射部若しくはレンズアセンブリ30・130・230若しくは開口部とが近接状態であるから、近接する光照射部若しくはレンズアセンブリ30・130・230若しくは開口部から例えばスポット光のような集中光線となってカバー部分12・112・212の外方へと照射され易くなる。
【００２４】
また、カバー部分12・112・212にレンズアセンブリ30・130・230を設けた場合に、このレンズアセンブリ30・130・230として集光レンズを採用すれば、変形構成12ｂに際して容易に且つ確実に集中光線を生成可能となる。
【００２５】
従って、本発明によれば、付属物等を要することなく、一台で拡散光と例えば集中光線とを切り替えて生成できる軽量で省電力で効率の良い照明装置となり、また、拡散光生成状態（カバー部分12・112・212の非変形構成12ａ）から例えば集中光線生成状態（カバー部分12・112・212の変形構成12ｂ）への切り替え操作も、単にカバー部分12・112・212を光源32・132・232・532に向かって内側に押圧して変形させるだけで良いので、非常に容易に操作可能である。
【実施例】
【００２６】
本発明の具体的な実施例について図面に基づいて説明する。
【００２７】
本発明の代表的な実施例は図１乃至３１に示されており、そこにおいて同じあるいは一般的に類似する特徴は、共通の参照番号を用いている。
【００２８】
図１は、本実施例の照明装置20の、拡散光を生成するランタン構成における斜視図を示す。
【００２９】
本実施例の照明装置20は、ベース部分14と、光源32と、レンズアセンブリ30と、カバー部分12とを具備する照明器具10とし、前記レンズアセンブリ30は前記光源32から離れた位置から前記光源32にほぼ隣接する位置まで平行移動可能であり、前記カバー部分12は、前記レンズアセンブリ30の平行移動の間、前記レンズアセンブリ30を支持するように構成されている。
【００３０】
カバー部分12は、ドーム型とし、厚みのある円盤状のベース部分14の一側に突設している。尚、このカバー部分12は、後に説明するように、様々な形状に構成されてもよい。
【００３１】
また、ベース部分14の外周面に電源スイッチ60を設け、この電源スイッチ60を操作することによって点灯・消灯制御や、常時点灯・ストロボ切り替え、照度切り替えを行えるように構成している。
【００３２】
図２は、図１のカバー部分12を、ドーム型の真ん中で内側に変形したものを示す。
【００３３】
図３は、照明器具10の実施例の部分切り取り図を示す。カバー部分12は、12ａと12ｂとして二度表示され、そこにおいて12ａは非変形構成であるドーム型のカバー部分12であり、12ｂはドーム型のカバー部分12の中心が光源32に向かって押された変形構成であるカバー部分12である。
【００３４】
また、非変形構成12ａは、「ランタン」構成において照明器具10として説明されてもよく、変形構成12ｂは「集中光」構成において照明器具10として説明されてもよい。
【００３５】
図３は、カバー部分12に適合されたレンズアセンブリ30と内部表面34の近くに設置された光源32も示す。カバー部分12は、カバー部分12が集中光構成（変形構成12ｂ）に変形されたとき、レンズアセンブリ30が光源32の近接に移動させられるように、レンズアセンブリ30が塞ぐかもしれない位置に孔を備えてもよい。
【００３６】
レンズアセンブリ30は、光源32から放出される光の一部からそのほとんどをレンズアセンブリ30を通すように方向付け、所望の照明効果を生み出すように構成されてもよい。前記照明効果は、集中光線あるいは、レンズアセンブリ30が光源32に近接していないときより、拡散が少ない光でもよい。
【００３７】
レンズアセンブリ30は、レンズアセンブリ30の上あるいは近くの位置決め機構38、そして光源32の近くの位置決め機構36により誘導され、固定されてもよい。
【００３８】
位置決め機構36・38は、１つだけ存在するように構成されてもよいし、協働であるいは独立で機能してもよい。また、位置決め機構36・38は、位置決め機構36にある磁石とそれと相互に引き付けられる位置決め機構38にあるもう１つの磁石の形をとるか、磁石と引力を持つ金属のどれか一方と各位置にある磁石と引力を持つ金属との組み合わせの形をとるか、あるいは凹所と前記凹所に嵌合するように構成された突起物の形を取ってもよく、前記凹所は、溝と、前記溝の側面に締まり嵌めとして嵌合し取り外し可能に係合するよう改変された突起物の形をとってもよい。また、電磁石と金属の組み合わせ、面ファスナ、粘着性あるいは再使用可能接着剤を含んでもよいが、これらに限定されない。
【００３９】
さらに、位置決め機構36・38は、レンズアセンブリ30を長手方向と径方向の両方において光源32に近接して保持してもよく、言い換えれば、位置決め機構36・38は、レンズアセンブリ30を三次元において光源32に近接して保持してもよい。
【００４０】
カバー部分12は、変形可能な素材から成ってもよい。前記変形可能な素材は弾力性があるか柔軟でもよい。前記素材は、光透過性および拡散性あるいはそのどちらかを備えていてもよい。適当な素材は、エラストマーあるいは伸縮性素材、例えばゴム、ゴム化合物、熱可逆性エラストマー、あるいは熱可逆性ポリウレタン、熱可逆性ゴム、あるいはシリコーンを含むがこれらに限定されない。使用される素材は、非変形位置（カバー部分12が非変形構成12ａ）にある間は所望のレベルまで光を拡散するだけでなく、望みの弾力性および耐久性も提供するよう改変されてもよい。選択される素材は、用いられる構成と厚さを決定する可能性がある。壁厚は、透明性、拡散性、弾力性、耐久性、製造性、コストの所望の組み合わせを達成するよう１ミリ未満から５ミリを超えるまでの範囲としてもよいことは当業者に知られている。
【００４１】
また、カバー部分12は、前記位置決め機構36・38が、レンズアセンブリ30を光源32の近くあるいは近接に位置決めし取り外し可能に保持することを可能にするように、光源32に向かって内側に、レンズアセンブリ30を押すことにより、あるいはレンズアセンブリ30の近くを押すことにより、光源32の近接に移動するよう構成されてもよい。レンズアセンブリ30は、位置決め機構36・38の保持力に打ち勝つようレンズアセンブリ30から離れた点でカバー部分12の上を内に押すことにより光源32から移動されてもよい。
【００４２】
また、カバー部分12は、レンズアセンブリ30若しくはこのレンズアセンブリ30の近くを前記光源32に向かって内側に押圧することにより、レンズアセンブリ30が最も光源32に近接した凹湾曲状（凹半球形状）の前記変形構成12ｂに変形するように構成している。
【００４３】
光源32は、発光ダイオード（ＬＥＤ）、２つ以上のＬＥＤ、および白熱光源あるいは蛍光灯源を含む電気的光源であってもよいが、これらに限定されない。
【００４４】
レンズアセンブリ30は、光源32から発せられる光を方向付けて焦点を合わせるか焦点をぼかすよう構成されてもよい。当業者は、単一光源あるいは複数光源から所望の光線を作り出すレンズを作成するために使用される様々な構成と素材を認識するであろう。
【００４５】
照明器具10は、ほぼ密閉するか密閉可能でもよい。密閉は、器具を損傷する可能性がある不必要な残骸や水の侵入を防ぐかもしれない。前記密閉は、カバー部分12の移動あるいは変形が器具内の圧力を増加させるあるいは減少させるようカバー部分12の下の区域16内の空気を閉じ込めてもよい。前記器具は、レンズアセンブリ30が光源32に近接するようカバー部分12が変形されたとき（変形構成12ｂとなったとき）、より高い圧力を生じさせるよう密閉されてもよい。この増加された圧力により、位置決め機構36・38が、変形に抵抗する圧力に関連する分離力に打ち勝つよう適切に構成される必要があるかもしれない。この正圧は、ユーザーがカバー部分12を非変形位置（非変形構成12ａ）に戻す際に手助けにもなる。
【００４６】
内部表面34は、反射面になるよう処理を施されてもよい。ベース部分14は動力源40を収容してもよい。動力源は、電池、太陽系、風力系、クランク系、燃料電池、燃焼による動力源を含む電源から成ってもよいが、これらに限定されない。
【００４７】
図４は、照明器具10の実施例の部分切り取り図を示す。本実施例において、カバー部分12は、非変形形状（非変形構成12ａ）で示されている。
【００４８】
図５は、本実施例の、傾斜がゼロより大きい値に調整された集中光構成における部分切取り図を示す。
【００４９】
具体的には、ベース部分14にチルト機構を設けて、光源32を傾動可能に構成している。このチルト機構は、ベース部分14にヒンジを設け、このヒンジを介してベース部分14とともに光源32が傾動するように構成している。
【００５０】
また、このヒンジには、係止爪とこの係止爪が係合可能な複数の係合部とを設けて、この係止爪を複数の係合部に選択係合することで、光源の傾斜角度（光照射角度）を選択的に変更可能な構成としている。
【００５１】
本実施例において、照明器具10は、レンズアセンブリ30を通して光源32から発せられる光が取り付け表面52の中心軸から離れて方向付けされるよう調整されてもよい。
【００５２】
図６は、本実施例の、傾斜がゼロより大きい値に調整された集中光構成における斜視図を示す。
【００５３】
本実施例において、照明装置20は、ストラップアセンブリ18をアダプター22と共に使用することによりユーザーの頭の周りに固定するよう構成されてもよい。アダプター22は、ストラップアセンブリ18を異なる長さで調整できるように保持できるように構成されてもよい。アダプター22は、様々な表面および構造に取り外し可能に取り付けるようにも構成されてもよい。このような構成の１つは図１３に見られるようなフックの形であってもよい。
【００５４】
図７乃至２１は、他の様々な実施例の図を示す。図１４乃至２１に示した実施例では、レンズアセンブリ30はカバー部分12に取り付けられておらず、カバー部分12の中心部には開口部（貫通穴）を設けている。この開口部は、カバー部分12が変形されている間（変形構成12ｂとなっている間）、光源32が開口部を通過してカバー部分12の外側へ突出できるように改変されている。また、レンズアセンブリ30が光源32に隣接して固定され、カバー部分12が変形されている間、レンズアセンブリ30が開口部を通過できるように改変されてもよい。レンズアセンブリ30あるいは他の機構が、変形の状態でカバー部分12を取り外し可能に保持するように使用されてもよい。
【００５５】
また、図１４乃至１８は、ベース部分14に、その光源配設側が上下方向に弧状の軌跡を描くようにスライド移動するスライド機構部を設けて、このスライド機構部を介した光源配設側のスライド移動により光源32が傾動するチルト機構を構成している。
【００５６】
図２２乃至２５は、他の様々な実施例の図を示す。図２２は、アコーディオンのような変形機構で構成されてもよいカバー部分112と、光源132と、レンズアセンブリ130とを具備してもよい照明器具110の実施例の部分切り取り図を示す。図２３は、照明器具110の実施例の正面図を示す。図２４は、レンズアセンブリ130が光源132に近接してもよい、照明器具110の実施例の切り取り図を示す。図２５は、照明器具110の実施例の斜視図である。
【００５７】
図２６は、側断面六角形の幾何学的機構で構成されてもよいカバー部分212と、光源232と、レンズアセンブリ230とを具備してもよい照明器具210の実施例の部分切り取り図を示す。図２７は、照明器具210の実施例の正面図を示す。図２８は、レンズアセンブリ230が光源232の近接に移動された、照明器具210の実施例の部分切り取り図を示す。例えば、光源232は複数のＬＥＤを具備してもよく、レンズアセンブリ230は、複数のＬＥＤを操作可能に受け、ほぼ集中された光線の光をレンズアセンブリ230を通して方向付けするよう改変されてもよい。
【００５８】
カバー部分12・212・212の変形機構は、一定の、所定の、あるいはより容易な変形をもたらすよう作成されてもよい。前記変形機構は、変形機構のサイズと構成により、拡散光にわずかなあるいは所望の効果を持ってもよい。前記変形機構は、折り目、素材が減少された部分、あるいは素材が増加された部分の形を取ってもよい。前記折り目、素材の減少あるいは増加は、前記カバー部分12・212・212成形の間あるいは、カバー部分12・212・212の最初の作成後に作成されてもよい。当業者は、素材の追加、素材の減量、あるいは折り目形成の作成技術の様々な方法を知り、理解するであろう。
【００５９】
図２９は、他の実施例の図を示す。これらの実施例は、カバー部分12・212・212が持つことができる、球形区域、二十面体、切頭二十面体、十二面体、角錐、円柱、円錐、角柱、ならびに前述あるいは他の形状のいずれかを歪曲したあるいは伸長したものを含むが、これらに限定されない可能な幾何学的形状のいくつかのみを示す。ほとんどどのような形状でも、商用認可された画像や形状を含むように改変されてもよいが、これらに限定されないものに改変されてもよいことを当業者は理解する。活字、画像、あるいは色をカバー部分12・212・212に追加してもよい。
【００６０】
図３０は、本実施例の回路を示す。本実施例では、回路510は回路を完結あるいは中断するスイッチ560を持つ光源532に接続された電源540を具備する。また、前記回路510は、調光器、輝度調整器、タイマー、フラッシャー、あるいは他の機構を含むがこれらに限定されない機構を付加する要素を含んでもよい。
【００６１】
照明装置20の１つの実施例はランタンに変換できるヘッドランプとしてであるが、乗り物、ベッド付近、あるいは机に取り付けられた天井灯あるいは読書灯を含むがこれらに限定されない。
【００６２】
尚、本発明は、本実施例に限られるものではなく、説明され描写されてきた細部、素材、ならびにパーツの配置および作用において多くの改変および変更が可能である。
【符号の説明】
【００６３】
12・112・212  カバー部分
12ａ  非変形構成
12ｂ  変形構成
14  ベース部分
18  ストラップアセンブリ
22  アダプター
30・130・230  レンズアセンブリ
32・132・232・532  光源
36・38  位置決め機構
【国際調査報告】
2012099173.tif 000033
2012099173.tif 000034
2012099173.tif 000035